(57)【要約】  【課題】  ＳＮ比を改善することができる被検体支持台を提供する。  【解決手段】  被検体支持台６の支持体本体１０に、摺動自在に収容される下部コイル２０を備える。下部コイル２０には、上部コイル３０が着脱自在に取り付けられている。被検体支持台６をボア３に搬入すると、下部コイル２０に取り付けられた位置決め棒４０の屈曲部４３が、テーブル４とマグネットシステム２との間の隙間８に入り込み、下部コイル２０および上部コイル３０は、マグネットセンターＭＣに位置決めされる。  【選択図】  図３
2009112432.tif 000002
【特許請求の範囲】
【請求項１】
ＭＲＩ装置のマグネットシステムのボアに搬入される被検体支持台であって、
被検体を支持する支持台本体、
前記支持台本体に対して所定方向に相対的に移動可能な第１のコイル、および
前記第１のコイルを前記マグネットシステムのマグネットセンターに位置決めする位置決め部材、
を有する被検体支持台。
【請求項２】
前記位置決め部材は、前記第１のコイルに取り付けられている、請求項１に記載の被検体支持台。
【請求項３】
前記被検体支持台は、前記ＭＲＩ装置のテーブルに搭載される、請求項２に記載の被検体支持台。
【請求項４】
前記ＭＲＩ装置は、前記テーブルと前記マグネットシステムとの間に隙間を有しており、
前記位置決め部材は屈曲部を有しており、
前記屈曲部の少なくとも一部が前記隙間に入り込むことにより、前記第１のコイルが前記マグネットセンターに位置決めされる、請求項３に記載の被検体支持台。
【請求項５】
前記テーブル又はマグネットシステムは、凹部又は孔を有しており、
前記位置決め部材は屈曲部を有しており、
前記屈曲部の少なくとも一部が前記凹部又は孔に入り込むことにより、前記第１のコイルが前記マグネットセンターに位置決めされる、請求項３に記載の被検体支持台。
【請求項６】
前記第１のコイルはコイル筐体を有しており、
前記コイル筐体は、前記支持台本体に内蔵されている、請求項４又は５に記載の被検体支持台。
【請求項７】
前記支持台本体は第１のスリットを有しており、
前記位置決め部材の前記屈曲部が前記第１のスリットに挿入される、請求項６に記載の被検体支持台。
【請求項８】
前記支持台本体は、傾斜台を有しており、
前記位置決め部材は、前記傾斜台に摺動可能な傾斜部を有している、請求項７に記載の被検体支持台。
【請求項９】
前記位置決め部材は、前記傾斜部と前記傾斜台との相対的な摺動距離を制限するストッパを有する、請求項８に記載の被検体支持台。
【請求項１０】
前記支持台本体は、前記第１のスリットに繋がる開口を有する、請求項７〜９のうちのいずれか一項に記載の被検体支持台。
【請求項１１】
前記第１のコイルは、前記支持台本体から取り外すことができるように構成されている、請求項１〜１０のうちのいずれか一項に記載の被検体支持台。
【請求項１２】
前記支持台本体に対し前記所定方向に相対的に移動可能な第２のコイルを有する、請求項１〜１１のうちのいずれか一項に記載の被検体支持台。
【請求項１３】
前記第２のコイルは、前記第１のコイルに着脱自在に取り付けられる、請求項１２に記載の被検体支持台。
【請求項１４】
前記支持台本体は、第２のスリットを有しており、
前記第１のコイルは、前記第２のコイルが取り付けられる側板を有しており、
前記側板は、前記第２のスリットに挿入される、請求項１２又は１３に記載の被検体支持台。
【請求項１５】
前記側板は溝を有しており、
前記上部コイルは、前記溝に嵌合する突条を有している、請求項１４に記載の被検体支持台。
【請求項１６】
請求項１〜請求項１５のうちのいずれか一項に記載の被検体支持台を有するＭＲＩ装置。
【請求項１７】
前記被検体支持台が前記マグネットシステムのボアに搬入されることにより、前記被検体支持台の前記第１のコイルが、前記マグネットシステムのマグネットセンターに位置決めされる、請求項１６に記載のＭＲＩ装置。
【発明の詳細な説明】
【技術分野】
【０００１】
本発明は、被検体を支持する被検体支持台に関する。
【背景技術】
【０００２】
従来より、被検体がＭＲＩ装置のテーブルに寝たままの状態でも、被検体に対してコイルの位置を容易に変更できるコイルシステムが知られている（特許文献１）。
【特許文献１】特開平１１−１２８２０１号公報
【発明の開示】
【発明が解決しようとする課題】
【０００３】
特許文献１のコイルシステムでは、被検体の或る撮像部位を撮像した後に別の撮像部位を撮像する場合、撮像テーブルを退避位置に戻し、ＭＲＩ装置の操作者がコイルを別の撮像部位に移動させる必要がある。したがって、被検体の撮像部位を変更するのに時間が掛かるという問題がある。
【０００４】
本発明は、上記の事情に鑑み、撮像部位の変更が容易な被検体支持台、および、この被検体支持台を有するＭＲＩ装置を提供することを目的とする。
【課題を解決するための手段】
【０００５】
上記の問題を解決する本発明の被検体支持台は、
ＭＲＩ装置のマグネットシステムのボアに搬入される被検体支持台であって、
被検体を支持する支持台本体、
上記支持台本体に対して所定方向に相対的に移動可能な第１のコイル、および
上記第１のコイルを上記マグネットシステムのマグネットセンターに位置決めする位置決め部材を有している。
【発明の効果】
【０００６】
本発明の被検体支持台では、支持台本体と第１のコイルが、相対的に移動可能なように構成されている。したがって、被検体を支持台本体に寝かせた後、支持台本体を第１のコイルに対して相対的に移動させることによって、被検体と第１のコイルとの相対的な位置を容易に変更することができる。また、本発明の被検体支持台は、第１のコイルをＭＲＩ装置のマグネットシステムのマグネットセンターに位置決めする位置決め部材を有している。この位置決め部材によって、第１のコイルは、マグネットシステムのマグネットセンターに位置決めされる。したがって、支持台本体を移動させても、第１のコイルをマグネットセンターに固定しておくことができる。このため、被検体の或る撮像部位を撮像した後、別の撮像部位を撮像する場合は、支持台本体を第１のコイルに対して相対的に移動させるだけで、当該別の撮像部位を、マグネットセンターに位置決めされた第１のコイルに対向させることができる。したがって、被検体の別の撮像部位を撮像する場合に、被検体支持台をボアから搬出して第１のコイルを被検体の別の撮像部位に移動させる必要がなく、被検体の撮像部位を容易に変更することができる。
【発明を実施するための最良の形態】
【０００７】
図１は、ＭＲＩ装置１を示す斜視図、図２は、図１のＭＲＩ装置１の上面図である。
ＭＲＩ装置１は、マグネットシステム２と、テーブル４と、を有している。テーブル４は、クレドール５を有している。クレドール５は、Ｚ方向および−Ｚ方向に移動する。クレドール５には、被検体７を支持する本発明の一形態の被検体支持台６が載置されている。クレドール５がＺ方向に移動すると、被検体支持台６はマグネットシステム２のボア３内に搬入され、クレドール５が−Ｚ方向に移動すると、被検体支持台６はボア３から搬出される。
【０００８】
図３は、図１に示す被検体支持台６の斜視図である。
【０００９】
被検体支持台６は、支持台本体１０、下部コイル２０、上部コイル３０、および２本の位置決め棒４０を有している。
【００１０】
図４は、支持台本体１０の斜視図、図５は、図４をＡ−Ａ方向から見た断面図、図６は、図４をＢ−Ｂ方向から見た断面図である。
【００１１】
支持台本体１０の内部は、下部コイル２０（図３参照）が内蔵できるように、空洞になっている。
【００１２】
支持台本体１０の下部１１は、湾曲形状を有する湾曲底部１１ａと、平坦な形状を有する２つの平坦底部１１ｂと、を有している。湾曲底部１１ａの内壁面１１ｃは、滑りの良い材料（例えば、ＰＯＭ（ポリアセタール））で形成されている。各平坦底部１１ｂには、下部スリット１２が形成されている。下部スリット１２の両側には、図６に示すように、２つの傾斜台１３および１４が形成されている。
【００１３】
図７は、図６の領域Ａの拡大斜視図である。
【００１４】
傾斜台１３および１４は、それぞれ傾斜面１３ａおよび１４ａを有している。傾斜面１３ａおよび１４ａは、いずれも傾斜角αである。傾斜角αは、例えば３０度とすることができる。傾斜台１３と傾斜台１４との間の距離Ｄ１は、下部スリット１２の幅Ｄ２よりも大きくなっている。傾斜面１３ａおよび１４ａは、滑りの良い材料（例えば、ＰＯＭ）で形成されている。
【００１５】
図４〜図６に戻って説明を続ける。
【００１６】
支持台本体１０は、２つの側面部１５を有している。側面部１５には、側部スリット１６が形成されている。支持台本体１０の後面部１８には、２つの開口１８ａが形成されている。開口１８ａは、図６に示すように、溝１２に繋がっている。支持台本体１０の上面部１９は、被検体が横になれるように、平坦な形状を有している。
【００１７】
上記のように構成された支持体本体１０の内部に、下部コイル２０および２つの位置決め部材４０が収容されている。
【００１８】
図８は、下部コイル２０および位置決め部材４０の斜視図である。
【００１９】
下部コイル２０はコイル筐体２１を有している。コイル筐体２１の内部には、複数のループコイルエレメント２１ａが設けられている。各ループコイルエレメント２１ａは、隣接するコイルエレメント２１ａに重なり合うように配置されている。尚、本形態では、下部コイル２０は、ループコイルエレメント２１ａを有しているが、ループコイルエレメント２１ａの代わりに（又はループコイルエレメント２１ａに加えて）、別のコイルエレメント（例えば、８の字コイルエレメント）を有することもできる。
【００２０】
コイル筐体２１の底面２１ｂは、滑りの良い材料（例えば、ＰＯＭ）で形成されており、湾曲した形状を有している。
【００２１】
また、下部コイル２０は、コイル筐体２１の側面に設けられた２つの下部コイル側板２２を有している。下部コイル側板２２は、直線状に延在する溝２３を有している。
【００２２】
下部コイル側板２２には、位置決め棒４０が取り付けられている。位置決め棒４０は、被検体７を撮像している間、下部コイル２０をマグネットセンターＭＣ（図２参照）に固定しておくために使用される。
【００２３】
位置決め棒４０の前端部４２には、屈曲部４３が形成されている。位置決め棒４０の後端部４１は、下部コイル側板２２に固定されている。また、位置決め棒４０は傾斜部４５を有している。
【００２４】
図９は、傾斜部４５を斜め下から見た斜視図である。
【００２５】
傾斜部４５は、２つの傾斜面４５ａおよび４５ｂを有している。傾斜面４５ａと４５ｂとの間の距離Ｄ３は、傾斜台１３と傾斜台１４との間の距離Ｄ１（図７参照）と同じである。傾斜面４５ａおよび４５ｂは、いずれも傾斜角αを有している。傾斜面４５ａおよび４５ｂは、滑りの良い材料（例えば、ＰＯＭ）で形成されている。傾斜部４５は、傾斜台１３および１４（図７参照）と協働して、屈曲部４３を上方に移動させる作用を有している。傾斜部４５が、傾斜台１３および１４と協働して、屈曲部４３をどのようにして上方に移動させているかについては、後述する。
【００２６】
更に、傾斜部４５の上面４５ｃには、ストッパ４６が形成されている。ストッパ４６の役割については後述する。
【００２７】
このように構成された下部コイル２０および２つの位置決め棒４０が、図３に示すように、支持台本体１０の内部に収容されている。下部コイル２０の下部コイル側板２２は、支持台本体１０の側部スリット１６に挿入されている。位置決め棒４０の屈曲部４３は、支持台本体１０の下部スリット１２（図６参照）に挿入されている。
【００２８】
先に説明したように、支持台本体１０の湾曲底部１１ａの内壁面１１ｃは、滑りの良い材料（例えば、ＰＯＭ）で形成されており、下部コイル２０のコイル筐体２１の底面２１ｂも、滑りの良い材料（例えば、ＰＯＭ）で形成されている。したがって、下部コイル２０は、支持台本体１０の湾曲底部１１ａの内壁面１１ｃを容易に摺動することができる。
【００２９】
被検体支持台６は、更に上部コイル３０を有している。
【００３０】
図１０は、上部コイル３０の斜視図である。
【００３１】
上部コイル３０は、コイル筐体３１を有している。上部コイル３０のコイル筐体３１には、下部コイル２０と同様に、複数のコイルエレメント（図示せず）が収容されている。本形態では、上部コイル３０の複数のコイルエレメントは、下部コイル２０の複数のコイルエレメント２１ａ（図８参照）と同じコイルエレメントパターンを有しているが、上部コイル３０と下部コイル２０は、異なるコイルエレメントパターンを有していてもよい。
【００３２】
また、上部コイル３０は、コイル筐体３１の側面に設けられた２つの上部コイル側板３２を有している。
【００３３】
上部コイル側板３２の下端には、下部コイル側板２２の溝２３（図８参照）に嵌合する突条３３が設けられている。上部コイル側板３２の突条３３を、下部コイル側板２２の溝２３に嵌合させることにより、上部コイル３０を下部コイル２０に取り付けることができる。また、上部コイル３０を持ち上げれば、上部コイル３０を下部コイル２０から取り外すことができる。このように、上部コイル３０は、下部コイル２０に着脱自在に取り付けられるように構成されている。
【００３４】
次に、被検体支持台６を用いて、被検体７の全身のＭＲ画像をどのように撮像するかについて説明する。
【００３５】
先ず、図１および図２に示すように、被検体支持台６をテーブル４のクレドール５に乗せ、被検体７を支持台本体１０に寝かせる。しかし、上部コイル３０が下部コイル２０に取り付けられたままの状態で、被検体７が支持台本体１０に寝ようとすると、被検体７は、頭部を支持台本体１０と上部コイル３０との間に差し込まなければならないので、被検体７に負担がかかる。したがって、被検体７が支持台本体１０に寝る前には、上部コイル３０は、下部コイル２０から取り外される。上部コイル３０を下部コイル２０から取り外すことによって、被検体７は、支持台本体１０に容易に寝ることができる。被検体７が支持台本体１０に寝た後、図１および図２に示すように、上部コイル３０が下部コイル２０に取り付けられる。
【００３６】
図１１は、図１の領域Ｒの拡大図、図１２は、図１のＡ−Ａ断面図である。
【００３７】
上部コイル２０が下部コイル３０に取り付けられた時点では、位置決め棒４０の屈曲部４３は、図１２に示すように、支持台本体１０の平坦底部１１ｂの下部スリット１２を通り、屈曲部４３の先端部４４が、テーブル４の座面４ａに接触している。
【００３８】
上部コイル３０が下部コイル２０に取り付けられた後、位置決め棒４０の屈曲部４３の先端部４４が、テーブルの座面４ａに接触した状態で、被検体７がボア３内に搬入される。本形態では、被検体７がボア３内に搬入されることによって、下部コイル２０および上部コイル３０を、マグネットシステム２のマグネットセンターＭＣ（図２参照）に自動的に位置決めすることができる。以下に、下部コイル２０および上部コイル３０が、どのようにして、マグネットシステム２のマグネットセンターＭＣに自動的に位置決めされるかについて、説明する。
【００３９】
図１３および図１４は、下部コイル２０および上部コイル３０が、どのようにして、マグネットシステム２のマグネットセンターＭＣに自動的に位置決めされるかを説明する図である。
【００４０】
図１３（ａ）〜（ｃ）は、下部コイル２０および上部コイル３０がマグネットセンターＭＣに到達するまでのＭＲＩ装置１の上面図であり、図１４（ａ）〜（ｃ）は、それぞれ図１３（ａ）〜（ｃ）のＤ−Ｄ断面図である。
【００４１】
被検体支持台６をボア３内に搬入し始めた時点では、位置決め棒４０の先端部４４はテーブル４の台座面４ａに接触している（図１３（ａ）および図１４（ａ）参照）。
【００４２】
図１３（ａ）および図１４（ａ）の状態から、被検体支持台６がボア３に向かってＺ方向に移動し始める。被検体支持台６がＺ方向に向かって移動すると、被検体７がボア３の内部に搬入され、下部コイル２０および上部コイル３０がマグネットシステム３のボア３のマグネットセンターＭＣに近づく（図１３（ｂ）および図１４（ｂ）参照）。位置決め棒４０は下部コイル２０に取り付けられているので、位置決め棒４０もボア３の内部に移動する。位置決め棒４０の先端部４４はテーブル４の台座面４ａに接触しているので、位置決め棒４０は、屈曲部４３の先端部４４がテーブル４の台座面４ａに接触したままの状態で、ボア３の内部に移動する。このとき、位置決め棒４０の先端部４４が、テーブル４とマグネットシステム２との間の隙間８の近傍にまで到達する。
【００４３】
被検体支持台６が更にＺ方向に移動し続けると、下部コイル２０および上部コイル３０が、マグネットセンターＭＣに到達する（図１３（ｃ）および図１４（ｃ）参照）。位置決め棒４０の長さＬｐは、マグネットセンターＭＣと隙間８との間の距離Ｌｍから、下部コイル２０の長さＬｃの半分（Ｌｃ／２）を引いた長さに等しくなるように設計されている。したがって、下部コイル２０および上部コイル３０がマグネットセンターＭＣに到達すると、屈曲部４３の先端部４４が隙間８に入り込む。
【００４４】
したがって、下部コイル２０および上部コイル３０は、図１３（ｃ）および図１４（ｃ）に示すように、２本の位置決め棒４０によって、マグネットセンターＭＣに位置決めされる。
【００４５】
下部コイル２０および上部コイル３０がマグネットセンターＭＣに位置決めされた後、被検体７の全身を撮像するために、被検体支持台６は、以下のように移動する。
【００４６】
図１５および図１６は、被検体支持台６がどのように移動したかを説明する図である。
【００４７】
図１５の（ａ）は、被検体７の頭部７ａがマグネットセンターＭＣに到達したときの様子を示す図、図１５の（ｂ）は、被検体７の頚部７ｂがマグネットセンターＭＣに到達したときの様子を示す図、図１５の（ｃ）は、被検体７の下腿部７ｃがマグネットセンターＭＣに到達したときの様子を示す図である。
【００４８】
図１６の（ａ）〜（ｃ）は、それぞれ図１５の（ａ）〜（ｃ）のＤ−Ｄ断面図である。
【００４９】
被検体支持台６がＺ方向に移動すると、それに伴って、被検体支持台６に寝ている被検体７もＺ方向に移動し、被検体７の頭部７ａがマグネットセンターＭＣに到達する（図１５（ａ）および図１６（ａ）参照）。下部コイル２０および上部コイル３０は、２本の位置決め棒４０によって位置決めされているので、被検体支持台６が移動しても、下部コイル２０および上部コイル３０は、マグネットセンターＭＣに固定されたままである。したがって、被検体７の頭部７ａは、下部コイル２０と上部コイル３０との間に挟まれた状態になる。
【００５０】
図１５（ａ）および図１６（ａ）では、被検体７の頭部７ａが下部コイル２０と上部コイル３０との間に挟まれている。したがって、ＭＲＩ装置１が撮像を行うと、被検体７の頭部７ａのＭＲ画像を取得することができる。しかし、図１５（ａ）および図１６（ａ）では、被検体７の頭部７ａしか下部コイル２０と上部コイル３０との間に挟まれていない。したがって、このままでは、被検体７の全身を撮像することができない。そこで、ＭＲＩ装置１は、被検体７の頭部７ａを撮像した後、被検体支持台６を更にＺ方向に移動させる（図１５（ｂ）および図１６（ｂ）参照）。
【００５１】
下部コイル２０および上部コイル３０は、２つの位置決め棒４０によって、マグネットセンターＭＣに位置決めされているので、被検体支持台６を更にＺ方向に移動させても、下部コイル２０および上部コイル３０は、マグネットセンターＭＣに固定されたままである。したがって、被検体支持台６を更にＺ方向に移動させることによって、被検体７の頚部７ｂがマグネットセンターＭＣに到達した時点で、被検体７の頚部７ｂは、下部コイル２０と上部コイル３０との間に挟まれる。被検体７の頚部７ｂがマグネットセンターＭＣに到達した時点で、被検体支持台６の移動を停止し、ＭＲＩ装置１が撮像を行う。したがって、被検体７の頚部７ｂのＭＲ画像を取得することができる。
【００５２】
以下、同様に、ＭＲＩ装置１は、被検体支持台６をＺ方向に少しずつ移動させることにより撮像部位を少しずつ変えながら、撮像を行う。このように被検体支持台６がＺ方向に移動することによって、最終的に、被検体７の下腿部７ｃがマグネットセンターＭＣに到達する（図１５（ｃ）および図１６（ｃ）参照）。支持台本体１０の後面部１８には、２つの開口１８ａが形成されているので、支持台６がＺ方向に移動している間に、位置決め棒４０の傾斜部４５およびストッパ４６は、開口１８ａを通過する。したがって、支持台本体１０がＺ方向に移動しても、支持台本体１０の後面部１８は、位置決め棒４０に衝突しないので、下部コイル２０をマグネットセンターＭＣに固定したままにしておくことができる。
【００５３】
被検体７の下腿部７ｃを撮像することによって、被検体７の全身を撮像することができる。
【００５４】
本形態では、下部コイル２０および上部コイル３０は、２つの位置決め棒４０によって、マグネットセンターＭＣに位置決めされているので、被検体支持台６を更にＺ方向に移動させても、下部コイル２０および上部コイル３０は、マグネットセンターＭＣに固定されたままである。したがって、被検体７の撮像部位を変更する場合、支持台本体１０を下部コイル２０および上部コイル３０に対して相対的に移動させるだけで、被検体７の種々の撮像部位を、マグネットセンターＭＣに位置決めされた下部コイル２０と上部コイル３０との間に移動させることができる。このため、被検体７の別の撮像部位を撮像する場合に、被検体支持台１０をボアから一旦搬出して下部コイル２０および上部コイル３０を被検体７の別の撮像部位に移動させる必要がなく、被検体７の撮像部位の変更を容易に行うことができる。
【００５５】
撮像終了後、被検体７をボア３から搬出する。ＭＲＩ装置１は、被検体７をボア３から搬出すると同時に、マグネットセンターＭＣに固定された下部コイル２０および上部コイル３０も、ボア３から搬出させることができる。以下に、マグネットセンターＭＣに固定された下部コイル２０および上部コイル３０を、どのようにしてボア３から搬出しているかについて説明する。
【００５６】
被検体７の下腿部７ｃの撮像終了後（図１６（ｃ）参照）、被検体支持台６を−Ｚ方向に移動させる。したがって、被検体支持台６は、図１６（ｃ）、（ｂ）、および（ａ）に示されている順に従って、ボア３から搬出されていく。このとき、被検体支持台６の傾斜台１３（および１４）も、−Ｚ方向に移動し、傾斜台１３（および１４）が、次第に位置決め棒４０に近づく。被検体７の頭部７ａがマグネットセンターＭＣに戻ってくると（図１６（ａ）参照）、傾斜台１３（および１４）は、位置決め棒４０の傾斜部４５の近くにまで戻ってくる。図１６（ａ）の状態から、被検体支持台６を更に−Ｚ方向に移動させると、傾斜台１３（および１４）は、位置決め棒４０の傾斜部４５に対して、以下のように作用する。
【００５７】
図１７は、傾斜台１３が位置決め棒４０の傾斜部４５に到達した様子を示す図、図１８は、図１７に示す領域Ａの拡大図、図１９は、図１８の斜視図である。
【００５８】
傾斜台１３および１４が位置決め棒４０の傾斜部４５に到達すると、２つの傾斜台１３および１４は、図１９に示すように、傾斜部４５と平坦底部１１ｂとの間に入り込む。傾斜台１３および１４の傾斜角と、傾斜部４５の傾斜角は、いずれも傾斜角αであるので（図７および図９参照）、２つの傾斜台１３および１４は、傾斜部４５と平坦底部１１ｂとの間の間隙を埋めるように、傾斜部４５と平坦底部１１ｂとの間に入り込む。この時点では、屈曲部４３の先端部４４は、マグネットシステム２とテーブル４との間の隙間８に入り込んでいる。
【００５９】
図１７〜図１９に示す状態から、被検体支持台６が更に−Ｚ方向に移動すると、２つの傾斜台１３および１４も−Ｚ方向に移動し、傾斜部４５が２つの傾斜台１３および１４を摺動する。
【００６０】
図２０は、傾斜部４５が傾斜台１３を摺動する様子を示す図である。
【００６１】
傾斜台１３が傾斜部４５に到達した時点では、位置決め棒４０の屈曲部４３の先端部４４は、マグネットシステム２とテーブル４との間の隙間８に入り込んでいる（図２０（ａ）参照）。
【００６２】
しかし、被検体支持台６が更に−Ｚ方向に移動すると、傾斜部４５が被検体支持台６の傾斜台１３を摺動し、傾斜部４５が上昇する（図２０（ｂ）参照）。図２０（ｂ）には、傾斜台１３が−Ｚ方向に距離ｚ１だけ移動した様子が示されている。傾斜台１３が−Ｚ方向に距離ｚ１だけ移動したことによって、傾斜部４５は距離ｙ１だけ上昇し、この結果、屈曲部４３も上昇する。図２０（ｂ）では、屈曲部４３の先端部４４の一部がまだ隙間８に入り込んでいる。
【００６３】
傾斜台１３が更に−Ｚ方向に移動すると、傾斜部４５は傾斜台１３を更に摺動する。図２０（ｃ）には、傾斜台１３が−Ｚ方向に更に距離ｚ２だけ移動した様子が示されている。図２０（ｃ）では、傾斜台１３が−Ｚ方向に更に距離ｚ２だけ移動したことによって、傾斜部４５が更に上昇し、屈曲部４３の先端部４４が隙間８から完全に引き抜かれる。したがって、位置決め棒４０は、下部コイル２０をマグネットセンターＭＣに位置決めすることができなくなり、下部コイル２０は移動可能になる。また、図２０（ｃ）では、傾斜部４５が上昇することによって、ストッパ４６が支持台本体１０の上面部１９の裏面１９ａに押し付けられている。したがって、傾斜部４５と傾斜台１３および１４との相対的な摺動距離が制限され、この結果、傾斜部４５が、傾斜台１３および１４から落下することが防止される。尚、傾斜部４５の上面４５ｃに、ストッパ４６の役割を持たせることも可能である。
【００６４】
更に、ストッパ４６が、支持台本体１０の上面部１９の裏面１９ａに押し付けられるので、傾斜部４５には、傾斜台１３から上に押し上げる力ｆupが作用する。この力ｆupによって、傾斜部４５は、支持台本体１０の上面部１９の所定の位置１９ｂに押し付けられた状態になる。この状態で、傾斜台１３が更に−Ｚ方向に進む。したがって、傾斜台１３が−Ｚ方向に移動すると、傾斜部４５も−Ｚ方向に移動し、その結果、位置決め棒４０も−Ｚ方向に移動する。位置決め棒４０には下部コイル２０が取り付けられているので、傾斜部４５が−Ｚ方向に移動すると、それに伴い、下部コイル２０も−Ｚ方向に移動する。したがって、被検体７をボア３から搬出することによって、下部コイル２０および上部コイル３０もボア３から自動的に搬出させることができる（図１参照）。
【００６５】
本形態では、被検体支持台６は、下部コイル２０と上部コイル３０とを有している。しかし、品質の十分なＭＲ画像が取得できるのであれば、被検体支持台６は、下部コイル２０と上部コイル３０とのうちの一方のコイルのみを備えた構造であってもよい。
【００６６】
本形態では、下部コイル２０および上部コイル３０を自動的にマグネットセンターＭＣに位置決めするために、位置決め部材４０の屈曲部４３の先端部４４が、テーブル４とマグネットシステム２との間の隙間８に入り込むようにしている。しかし、テーブル４又はマグネットシステム２に凹部又は孔を設け、屈曲部４３の先端部４４が、テーブル４又はマグネットシステム２の凹部又は孔に入り込むことによって、下部コイル２０および上部コイル３０が自動的にマグネットセンターＭＣに位置決めされるようにしてもよい。
【００６７】
下部コイル２０は、支持体本体１０から取り外すことができるように構成してもよい。下部コイル２０を支持台本体１０から取り外すことができるように構成することにより、図８に示すコイルエレメントパターンとは異なるコイルパターンを有する別の下部コイルを、支持台本体１０に収容することができる。したがって、被検体７の診断に最適な下部コイルを用いて、被検体７を撮像することができる。
【００６８】
本形態では、支持台本体１０の傾斜台１３および１４と、位置決め棒４０の傾斜部４５と、を協働させることによって、屈曲部４３の先端部４４を隙間８から自動的に引き抜いている（図２０参照）。しかし、支持台本体１０の傾斜台１３および１４や位置決め棒４０の傾斜部４５を備えずに、ＭＲＩ装置１の操作者自身が、屈曲部４３の先端部４４を隙間８から手動で引き抜ぬくようにしてもよい。
【００６９】
尚、本形態では、被検体支持台６は、テーブル４とは別個に構成されている。しかし、被検体支持台６をテーブル４と一体的に構成することも可能である。
【図面の簡単な説明】
【００７０】
【図１】ＭＲＩ装置１を示す斜視図である。
【図２】図１のＭＲＩ装置１の上面図である。
【図３】図１に示す被検体支持台６の斜視図である。
【図４】支持台本体１０の斜視図である。
【図５】図４をＡ−Ａ方向から見た断面図である。
【図６】図４をＢ−Ｂ方向から見た断面図である。
【図７】図６の領域Ａの拡大斜視図である。
【図８】下部コイル２０および位置決め部材４０の斜視図である。
【図９】図８の一点鎖線で囲まれた部分Ａを斜め下から見た斜視図である。
【図１０】上部コイル３０の斜視図である。
【図１１】図１の領域Ａの拡大図である。
【図１２】図１のＡ−Ａ断面図である。
【図１３】下部コイル２０および上部コイル３０がマグネットセンターＭＣに到達するまでのＭＲＩ装置１の上面図である。
【図１４】図１１（ａ）〜（ｃ）のＤ−Ｄ断面図である。
【図１５】被検体支持台６がどのように移動したかを説明する図である。
【図１６】被検体支持台６がどのように移動したかを説明する図である。
【図１７】傾斜台１３が位置決め棒４０の傾斜部４５に到達した様子を示す図である。
【図１８】図１７に示す領域Ａの拡大図である。
【図１９】図１８の斜視図である。
【図２０】傾斜部４５が傾斜台１３を摺動する様子を示す図である。
【符号の説明】
【００７１】
１  ＭＲＩ装置
２  マグネットシステム
３  ボア
４  テーブル
５  クレドール
６  被検体支持台
７  被検体
８  隙間
１０  支持台本体
１１  底部
１１ａ  湾曲底部
１１ｂ  平坦底部
１１ｃ  裏面
１２  下部スリット
１３、１４  傾斜台
１３ａ、１４ａ、４５ａ、４５ｂ  傾斜面
１５  側部
１６  側部スリット
１７  前部
１８  後部
１８ａ  開口
１９  上部
２０  下部コイル
２１、３１  コイル筐体
２１ａ  コイルエレメント
２１ｂ  底面
２２  下側コイル側板
２３  溝
３０  上部コイル
３２  上部コイル側板
３３  突条
４０  位置決め棒
４１  後端部
４２  前端部
４３  屈曲部
４４  先端部
４５  傾斜部
４６  ストッパ
【図１】
2009112432.tif 000003
【図２】
2009112432.tif 000004
【図３】
2009112432.tif 000005
【図４】
2009112432.tif 000006
【図５】
2009112432.tif 000007
【図６】
2009112432.tif 000008
【図７】
2009112432.tif 000009
【図８】
2009112432.tif 000010
【図９】
2009112432.tif 000011
【図１０】
2009112432.tif 000012
【図１１】
2009112432.tif 000013
【図１２】
2009112432.tif 000014
【図１３】
2009112432.tif 000015
【図１４】
2009112432.tif 000016
【図１５】
2009112432.tif 000017
【図１６】
2009112432.tif 000018
【図１７】
2009112432.tif 000019
【図１８】
2009112432.tif 000020
【図１９】
2009112432.tif 000021
【図２０】
2009112432.tif 000022